(57)【要約】【課題】格別な操作を伴わずに眩しさを感じさせない照明が行え、かつ携帯形の灯体として使用することができる照明器具を提供する。【解決手段】充電可能な二次電池１４を収容し、この二次電池により点灯する発光部１２を備えた灯体１１と；灯体に収容した二次電池を充電する充電回路２２を内蔵し、被設置面Ｃに取り付けるための取付部２３および発光部の光が被設置面から離間するように灯体を傾斜させて着脱可能に支持する支持部２４を有する本体２１と； を具備する照明器具を構成する。【選択図】        図１
2008103176.tif 000002
【特許請求の範囲】
【請求項１】
充電可能な二次電池を収容し、この二次電池により点灯する発光部を備えた灯体と；
灯体に収容した二次電池を充電する充電回路を内蔵し、被設置面に取り付けるための取付部および発光部の光が被設置面から離間するように灯体を傾斜させて着脱可能に支持する支持部を有する本体と；
を具備することを特徴とする照明器具。
【請求項２】
前記灯体の発光部は、スポット配光により光を放射することを特徴とする請求項１に記載の照明器具。
【請求項３】
前記本体は、発光部を有することを特徴とする請求項１または２に記載の照明器具。
【請求項４】
前記灯体は、発光部を発光ダイオードで構成したことを特徴とする請求項１ないし３いずれか一に記載の照明器具。
【発明の詳細な説明】
【技術分野】
【０００１】
本発明は、壁面等に設置される照明器具に係り、特に携帯形の灯体を備えた照明器具に関する。
【背景技術】
【０００２】
従来、例えば、病院における病室や医療福祉施設の療養室等では、患者が夜間にトイレなどに行く際、部屋を暗闇にしないために常夜灯や足元灯を設置して患者の安全を図っている。
【０００３】
この種の常夜灯は、部屋の天井に設置された照明器具に常夜灯を設けたり、壁面の下方に足元灯を設置して夜間点灯することが行われている。
【０００４】
しかしながら、これらの照明器具では光がベッドで就寝している患者の目に入り、眩しさを感じ患者の就寝が妨げられる恐れがある。
【０００５】
また、これら病室には火災や地震等の非常用の装備品として、懐中電灯のような携帯形の灯体を設置する必要がある。
【０００６】
このため、平常時は常夜灯として使用され、非常時に取り外して携帯形の灯体として使える非常灯兼常夜灯がある。（例えば、特許文献１参照）
【特許文献１】特開昭６２−２０６７９１号公報
【発明の開示】
【発明が解決しようとする課題】
【０００７】
しかしながら、特許文献１に示されるものは、所謂従来から存在している、携帯形の灯体をそのまま常夜灯として設置しているので、例えば病室の常夜灯や足元灯として壁面に設置した場合には、光が周囲に拡散し、壁面も照射するために患者が眩しく感じ就寝を妨げてしまう。
【０００８】
特許文献１には、携帯形の灯体の頭部にカバーを設け、このカバーを上下させて照明の範囲を変えたり、カバーの透明度を変えることにより照度を変えるようにしているが、もっぱらインテリアとしての効果を狙ったものであり、病室等における患者の眩しさを防止する目的で構成されたものではない。
【０００９】
また、これらのカバーは、携帯形の灯体とは別途に構成する必要があり構成が複雑化しコスト的に不利になると同時に、カバーを上下したり、透明度の異なる各種のカバーを用意して交換するなど、格別な調整操作が必要となる。
【００１０】
このため、格別な操作を伴わずに眩しさを感じさせない常夜灯や足元灯としての照明が行え、かつ携帯形の灯体として手軽に使用することができる照明器具を如何に実現するかが重要な課題となっている。
【００１１】
本発明は、上述した問題、課題を解決するためになされたもので、格別な操作を伴わずに眩しさを感じさせない照明が行え、かつ携帯形の灯体として使用することができる照明器具を提供しようとするものである。
【課題を解決するための手段】
【００１２】
上記の目的を達成するために、請求項１に記載の照明器具の発明は、充電可能な二次電池を収容し、この二次電池により点灯する発光部を備えた灯体と；灯体に収容した二次電池を充電する充電回路を内蔵し、被設置面に取り付けるための取付部および発光部の光が被設置面から離間するように灯体を傾斜させて着脱可能に支持する支持部を有する本体と； を具備することを特徴とする。
【００１３】
本発明によれば、被設置面に取り付けられる本体に、発光部の光が被設置面から離間するように灯体を傾斜させて着脱可能に支持する支持部を設ける構成により、単に灯体を本体に装着することだけで、配光調整のための格別な操作を伴わずに、壁面等が照射されず眩しさを感じさせない照明が行え、かつ装着、取り外しが容易な携帯形の灯体として使用することが可能な照明器具が構成される。
【００１４】
本発明において、灯体は、病室等で看護師などが患者の検査用に手軽に使用できるようにするため、発光ダイオードを光源とした携帯形のペンライト等、小型化した灯体が好ましいが、一般的な懐中電灯でもよく、その大きさ形状には特に限定されず、手で持ち歩くことができる全ての灯体が許容される。
【００１５】
灯体の発光部は、放射光の指向性が高い発光ダイオードを光源とすることが好ましいが、クリプトン電球やハロゲン電球等の白熱電球等、さらには放電灯であってもよい。
【００１６】
発光部は、目的とする眩しさを感じさせない配光を得るために、レンズ、反射鏡、遮光体等を設けてスポット配光をなすように構成してもよい。
【００１７】
本体の被設置面に取り付けるための取付部は、着脱可能な引っ掛け方式でも、ネジ締め等、さらにはマグネット式や取付と電気接続とを兼ねる方式による固定手段であってもよい。
【００１８】
被設置面は、壁面や柱等、常夜灯や足元灯などを設置するためのすべての設置面が許容される。
【００１９】
発光部の光が被設置面から離間するように灯体を傾斜させて支持する支持部は、支持部の形状を傾斜させた構成にしても、灯体の形状を傾斜した形状にしても、さらには支持部と灯体の両者を傾斜した形状に構成してもよい。
【００２０】
灯体を着脱可能に支持する手段は、例えば、配線器具で使用されているプラグをコンセントに差し込む形式のプラグイン方式のように、灯体側のプラグを本体側のコンセントに差し込み、電気的接続と機械的接続が同時になされる手段が好ましいが、電気的接続は灯体側のピン端子と本体側の受け端子で行い、機械的接続は別途のネジ締め等の手段で行うなど、電気的接続と機械的接続を別個に構成したものでもよい。
【００２１】
また、上述した灯体を傾斜させて支持する支持部として、上記灯体のピン端子と本体の受け端子のそれぞれの端子台を、いずれか一方または両者を傾斜させて形成し、灯体を本体に対して傾斜して支持するように構成してもよい。
【００２２】
本体は、取り外した灯体を暗闇で本体に確実に戻すために、本体の位置表示を行うための発光部を有していてもよい。
【００２３】
請求項２に記載の発明は、請求項１に記載の照明器具において、前記灯体の発光部は、スポット配光により光を放射することを特徴とする。
【００２４】
請求項３に記載の発明は、請求項１または２に記載の照明器具において、前記本体は、発光部を有することを特徴とする。
【００２５】
請求項４に記載の発明は、請求項１ないし３いずれか一に記載の照明器具において、前記灯体は、発光部を発光ダイオードで構成したことを特徴とする。
【発明の効果】
【００２６】
請求項１の発明によれば、被設置面に取り付けられる本体に、発光部の光が被設置面から離間するように灯体を傾斜させて着脱可能に支持する支持部を設ける構成により、格別な操作を伴わずに眩しさを感じさせない照明が行え、かつ携帯形の灯体として使用することが可能な照明器具を提供することができる。
【００２７】
請求項２の発明によれば、灯体の発光部は、スポット配光により光を放射するようにしたので、より確実に、格別な操作を伴わずに眩しさを感じさせない照明が行え、かつ携帯形の灯体として使用することが可能な照明器具を提供することができる。
【００２８】
請求項３の発明によれば、本体は、発光部を有するので、本体の位置表示を行うことができ、取り扱いが便利な携帯形の灯体として使用することが可能な照明器具を提供することができる。
【００２９】
請求項４の発明によれば、灯体は、発光部を発光ダイオードで構成したので、小型で取り扱いが便利な携帯形の灯体として使用することが可能な照明器具を提供することができる。
【発明を実施するための最良の形態】
【００３０】
以下、本発明に係る照明器具の実施形態について説明する。
【実施例１】
【００３１】
図１〜図８は、本発明の第１実施形態の照明器具を示し、図１および図２は灯体を本体に支持させた状態を示し、図１（ａ）は一部を断面して示す側面図、（ｂ）は（ａ）図のＡ部を拡大して示す図、図２は正面図、図３は本体から外した灯体の一部を断面して示す側面図、図４は照明器具を壁面に取り付けた状態を示す側面図、図５は電気回路図、図６は療養室全体におけるベッドと照明器具の配置関係を示す上方から見た平面図、図７は変形例を示す図で、（ａ）は灯体を傾斜させた方式の側面図、（ｂ）は本体および灯体を傾斜させた方式の側面図、（ｃ）は本体の端子台を傾斜させた方式の側面図、（ｄ）は灯体の端子台を傾斜させた方式の側面図、図８は他の変形例を示す電気回路図である。
【００３２】
本実施例の照明器具は、医療福祉施設の療養室に設けられた洗面室に設置する常夜灯兼携帯形のペンライトとして構成したものである。
【００３３】
照明器具１０は、携帯形のペンライトとして使用することができる灯体１１と、灯体を傾斜させて着脱可能に支持する本体２１で構成する。
【００３４】
灯体１１は、合成樹脂等からなる一端開放の細長い円筒体で構成したケース１１ａと、ケース内に収納される発光部１２からなる。
【００３５】
発光部１２は、光源である発光ダイオード１２ａ（以下「ＬＥＤ」と称す）を有する発光素子１２ｂと、発光素子を収納する遮光体１２ｃからなる。
【００３６】
ＬＥＤ１２ａは、光学軸線ａ−ａに光線が主として放射される１個の白色ＬＥＤからなり、一次レンズと組み合わせてチップ素子を構成し、このチップ素子を中心部にして円板状のプリント配線基板に実装し、さらにレンズ体１２ｄの光入力端に挿入することにより発光素子１２ｂを構成する。
【００３７】
遮光体１２ｃは、合成樹脂等からなる一端開放の円筒体からなり、上記に構成された発光素子１２ｂを遮光体１２ｃの内部に挿入し装着して発光部１２を構成する。
【００３８】
発光部１２は、光が周囲方向に漏れないように発光素子１２ｂを遮光体１２ｃの略中間部分に装着し、レンズ体１２ｄの前方に円筒状をなす遮光部分（シェード）１２ｅが構成されるように配置する。
【００３９】
上記に構成した発光部１２は、円筒状の遮光体１２ｃを灯体１１のケース１１ａ内に挿入し、ケースの開放部分と遮光体の開放部分を合致させた状態で、ネジ等の固定手段、またはシリコーン樹脂等の耐熱性の接着剤を用いて固定する。遮光体１２ｃの開放部分は、透明なガラスまたは合成樹脂からなる透光板で閉塞してもよい。
【００４０】
これにより、ＬＥＤ１２ａを光源とする発光部１２は、レンズ体１２ｄおよび遮光体１２ｃにより、スポット配光がなされるように構成される。
【００４１】
このスポット配光角θ１は、９°〜３０°（好ましくは１５°〜２５°）で、発光部１２の中心を通る鉛直面ｚ−ｚに対する角度θ２は約４０°で、この角度以上を遮光することが好ましい。（図４）
【００４２】
これにより、灯体１１の円筒中心軸線が、ＬＥＤ１２ａの光学軸線ａ−ａと一致し、灯体１１の光軸ｘ−ｘが構成される。
【００４３】
灯体１１内の空間部分には、ＬＥＤの点灯回路１３および充電可能な二次電池１４が内蔵される。
【００４４】
１５は、後述する本体２１に灯体１１を接続するための接続部で、端子台１５ａに２本の端子ピン１５ｂ、１５ｃおよび後述する電源回路遮断用のスイッチをＯＮ・ＯＦＦするためのの押しピン１５ｄを立設して構成する。
【００４５】
端子台１５ａは合成樹脂等の電気絶縁体からなり、灯体１１の円筒中心軸線上に位置させて取り付けるようにケース１１ａに接続凹部１５ｅを形成し、３本のピンがケース１１ａの外周面から極力外方に突出させないよう構成する。
【００４６】
上記により、充電可能な二次電池１４により点灯する発光部１２を備えた細長な携帯形のペンライトとしての灯体１１が構成され、ケース１１ａの上端部にペンライト用のクリップ１６およびＯＮ・ＯＦＦ用のスイッチ１７を取り付ける。
【００４７】
次に本体を説明する。本体２１は、合成樹脂等からなる箱形のケース体２１ａと、ケース体内に収納される灯体１１の二次電池１４を充電する充電回路２２、壁面等の被設置面に取り付けるための取付部２３、および灯体１１を傾斜させて着脱可能に支持する支持部２４を有する。
【００４８】
ケース体２１ａは、側面視が略台形をなした中空の箱状をなし、台形の底辺部、正面視で背面が取付部２３となり、台形の上辺部、正面視で正面が支持部２４となるように構成する。
【００４９】
背面の取付部２３は、設置する壁面Ｃに対して平行になるような平坦面で形成し、この平坦面を壁面に当接して取り付けられる。
【００５０】
正面の支持部２４は、細長い円筒状をなすペンライトとしての灯体１１が嵌合し支持されるように、樋状の支持凹部２４ａを正面の中心線上に形成する。
【００５１】
支持凹部２４ａは、凹部の下方が壁面Ｃから順次遠ざかるように傾斜させて形成し、灯体下方の発光部１２が壁面から遠ざかる方向に傾斜されて、換言すれば、壁面とは逆側に傾斜されて支持されるように構成する。
【００５２】
この灯体１１の傾斜角度θ３は、５°〜３０°（好ましくは１０°〜２０°）あることが好ましい。（図４）
【００５３】
さらに、樋状をなす支持凹部２４ａの略中央部分に、灯体１１の２本の端子ピン１５ｂ、１５ｃを受け入れ接続させるために受端子２５ｂ、２５ｃとスイッチ用の押しピン１５ｄを挿通させるための貫通孔２５ｄを設けた端子台２５を設ける。
【００５４】
端子台２５は、合成樹脂等の電気絶縁体からなり、各受端子２５ｂ、２５ｃを電気的に絶縁するように埋め込んで支持し、裏面に貫通孔２５ｄに対向して電源回路を遮断するスイッチ２５ｅを取り付ける。
【００５５】
灯体１１の二次電池１４を充電する充電回路２２は、トランスを含んだ電源回路２６と共に、ケース体２１ａ内に支持され収納される。
【００５６】
次に、灯体１１および本体の電気回路につき、図５に従って説明する。
【００５７】
灯体１１の回路は、入力端子を構成する端子ピン１５ｂ、１５ｃにＬＥＤ１２ａ、点灯回路１３、二次電池１４がそれぞれ並列に接続され、ＬＥＤに直列にスイッチ１７が配設されている。
【００５８】
本体２１の回路は、商用電源線に接続される電源端子２６ｂ、２６ｃにトランスを含む電源回路２６、充電回路２２、出力端子を構成する受端子２５ｂ、２５ｃがそれぞれ並列に接続されている。
【００５９】
電源回路２０のトランスの一次側に電源回路を遮断するスイッチ２５ｅを直列に接続する。
【００６０】
上記により、灯体１１を本体２１に支持した状態で、灯体と本体の各端子ピンが電気的に接続され、灯体の二次電池１４が本体側の充電回路２２を介して充電され、同時にＬＥＤ１２ａを点灯する。
【００６１】
この際、灯体の押しピン１５ｄが本体に設けられたスイッチ２５ｅを押しＯＮの状態にする。
【００６２】
また、灯体１１を本体２１から外した状態で、充電された二次電池１４によりＬＥＤ１２ａが点灯し携帯形のペンライトとして使用することができる。
【００６３】
この際、灯体の押しピン１５ｄは本体２１から抜けるのでスイッチ２５ｅがＯＦＦとなる。
【００６４】
上記に構成された照明器具１０は、図４および図６に示す療養室Ａの洗面室の常夜灯として、洗面室の壁面に設置される。
【００６５】
すなわち、図６に示すように、療養室Ａには、複数台のベッドＢが設置され、ベッドの奥に洗面室とトイレが設けられ、ベッドとは壁Ｃで仕切られている。
【００６６】
照明器具１０は、この仕切り壁Ｃの内面側（ベッドとは反対側）の壁面上方に取り付けられ、洗面室の床面Ｆのみを照明するように設置する。
【００６７】
まず、壁面Ｃから商用電源の配線コードを導入して本体２１の電源端子２６ｂ、２６ｃに接続し配線を行う。
【００６８】
次に、背面の平坦な取付部２３を壁面Ｃの所定の位置に当接し、ネジ締め等の手段で固定する。
【００６９】
壁面に取り付けられた本体２１の正面の支持部２４に形成された樋状の支持凹部２４ａに、ペンライトとしての灯体１１を嵌合する。
【００７０】
この際、灯体１１の外周面に突出して設けられた３本のピン１５ｂ、１５ｃ、１５ｄを、本体２１の２本の受端子２５ｂ、２５ｃおよび貫通孔２５ｄに合わせて押し込み支持させる。
【００７１】
これにより灯体側の回路と本体側の回路が電気的に接続されると同時に、各端子間の摩擦係合で灯体が落下することなく本体に対して機械的支持される。
【００７２】
これにより照明器具の洗面室への設置が完了し、灯体１１は下方の発光部１２が壁面から遠ざかる方向に傾斜されて支持される。
【００７３】
この設置作業の際には、灯体の本体に対する傾斜角を調整するなど、配光角の調整のための操作は行わなくてよい。
【００７４】
なお、上記に設置した照明器具１０における灯体１１の傾斜角度θ３は、約１５度に設定した。
【００７５】
また、灯体１１のスポット配光角θ１は、約２５°、発光部１２の中心を通る鉛直面ｚ−ｚに対する角度θ２は約４０°で、この角度以上を遮光するように構成した。
【００７６】
次に上記に設置された照明器具の作動につき説明する。
【００７７】
照明器具１０は常態において、灯体１１を本体２１に支持した状態で使用し、昼間および夜間に天井照明器具等のメーン照明が点灯中は灯体のスイッチ１７をＯＦＦにして発光部が点灯しないようにする。
【００７８】
この際、灯体１１は点灯しないが、灯体１１を本体２１に支持した状態で、灯体の押しピン１５ｄが本体に設けられたスイッチ２５ｅを押しＯＮの状態にして電源回路を作動させる。二次電池１４は本体２１の充電回路から各端子ピンを介して電力が供給され常に充電がなされる。
【００７９】
夜間、療養室Ａが消灯時間となった際に、看護師または患者などがスイッチ１７をＯＮにして灯体１１の発光部を点灯させ、洗面室の常夜灯として洗面室の床面を照明する。
【００８０】
この際、照明器具１０は壁面から前方に向かい傾斜角度θ３を約１５°に設定し、傾斜させてセットしてあるので、ＬＥＤ１２ａから放射される光は、洗面室の入口部分Ｄに向けて放射される。
【００８１】
しかも照明器具は、指向性の高いＬＥＤ１２ａを光源とし、レンズ１２ｄおよび遮光体１２ｃにより、スポット配光角θ１を約２５°、発光部１２の中心を通る鉛直面ｚ−ｚに対する角度θ２を約４０°となし、この角度以上を遮光するようにしたスポット配光で照射する。
【００８２】
このため、立った人の目線以上に設置されていても、スポット配光により目線内に光軸ｘ−ｘが入ることはなく、かつ照射範囲を広くすることが可能となる。また発光部の中心（発光素子１２ｂの中心）を遮光することで、さらに眩しさを抑制することができる。
【００８３】
その結果、洗面室の入口部分Ｄの床面Ｆに、入口の幅方向に沿って楕円形状の広い範囲Ｅ（図６中斜線部分）で照明することができ、必要な入口部分のみを、入口の幅に沿った広い範囲で照明する。
【００８４】
また、スポット配光で照射されるために、入口部分以外には光が届かず、ベッドで就寝中の患者が眩しく感じることはない。
【００８５】
さらに、洗面室に立って入った人も目線に光軸が入ることがないので、眩しさを感じることがなく就寝途中の患者を完全に覚まさせてしまうようなこともない。
【００８６】
また、照明器具１０は、下方の発光部１２が壁面Ｃから離れる方向に傾斜されてセットされ、さらに壁面Ｃから本体２１の幅寸法ｓだけ壁面から離間して設置されており、光が壁面に届くことがなく壁面輝度が抑制され、壁面からも眩しさを感じることがない。
【００８７】
これにより、夜間、患者が洗面室に行く際には、入口部分が確実に照明されているので、暗闇でつまずくようなことがなく安全に洗面室に入ることができる。
【００８８】
次に、災害時ではなく、例えば、医者や看護師が患者の検査または病室の見回りをする際に、ペンライトを忘れた場合、洗面室に設置されている灯体１１を本体２１から外し、検査用のペンライトとして使用する。
【００８９】
この場合、灯体１１のスイッチ１７をＯＮすればよく、通常の検査用ペンライトと同様の操作で使用することができる。
【００９０】
なお、灯体１１を本体２１から外した状態で、灯体の押しピン１５ｄは本体から抜けるのでスイッチ２５ｅがＯＦＦとなり、本体側の電源回路が遮断されるので、本体側の全ての回路は作動しない。
【００９１】
取り外す際、灯体１１と本体２１の各端子間の摩擦係合を解くように引き抜く。
【００９２】
この際、灯体１１は下方が手前側に向くように傾斜して本体２１に支持されているので、壁面Ｃとの間の空間に手を入れて外すことができる。
【００９３】
検査が終了して灯体１１を元に戻すには、灯体の外周面に突出して設けられた３本のピン１５ｂ、１５ｃ、１５ｄを、本体２１の受端子２５ｂ、２５ｃ、および貫通孔２５ｄに合わせて押し込み、本体の支持部２４に支持させればよい。
【００９４】
この際、外す際と同様に、本体の支持凹部２４ａは下方が手前側に向くように傾斜して形成されているので、この傾斜を利用して灯体を斜めにした状態で各端子の位置合わせを行い接続を行う。
【００９５】
また、災害時の避難や検査用としてだけでなく、夜間、患者が部屋を移動する際にも、通常の懐中電灯として使用する。この際も一般の懐中電灯として何ら支障なく使用することができる。
【００９６】
次に、万一停電になった場合には、二次電池１４が常に充電されているので、商用電源が切れた場合でも照明器具１０は点灯をし続け、常夜灯としての機能を果たしている。
【００９７】
また、夜間に火災や地震等の災害が発生し停電となった場合、患者が暗闇で病室から避難する際には、常夜灯として光っている照明器具１０を目印にして灯体１１を本体２１から外し、ペンライトを非常用の懐中電灯として使用して避難する。
【００９８】
以上、本実施形態によれば、照明器具１０の灯体１１は、ＬＥＤ１２ａを光源とし、レンズ体１２ｄおよび遮光体１２ｃにより、スポット配光で照射するようにしたので、洗面室の入口部分を入口に沿って楕円形状の広い範囲Ｅで照明することができ、必要な部分のみを広い範囲で照明する常夜灯としての機能を十分に果たすことができる。
【００９９】
特に、灯体１１の光源として放射光の指向性が高いＬＥＤ１２ａを使用しているので、より効果的なスポット配光が可能となると共に、照明器具としても設置スペースの問題等の制約を受けない小型の灯体および照明器具を提供することができる。
【０１００】
さらに、スポット配光で照射されるために、必要な部分以外には光が届かず、就寝中の患者が眩しく感じさせない照明環境を提供できる。
【０１０１】
さらに、洗面室に立って入った人も目線に光軸が入ることないので、眩しさを感じることがなく就寝途中の患者を完全に覚まさせてしまうようなことも防ぐことが可能となる。
【０１０２】
また、照明器具の灯体１１は、発光部１２が壁面Ｃから遠ざかる方向に傾斜されて支持され、さらに壁面から離間して設置されており、光が壁面に届くことがなく壁面輝度が抑制され、壁面からも眩しさを感じさせない照明環境を提供できる。
【０１０３】
特に、灯体１１をスポット配光により光を放射するように構成すると共に、傾斜させて支持する構成としたので、これら、患者に眩しさを感じさせない照明環境は、灯体の角度を調整するなどの格別な作業・操作を行わずに、単に灯体を傾斜した本体２１の支持部２４に取り付けるだけで実現することができる。
【０１０４】
同時に、灯体１１を本体２１に対して着脱可能に支持するようにしたので、携帯形の灯体として、例えば、ペンライトや非常用の懐中電灯などとして使用することができる。
【０１０５】
特に、携帯形の灯体としては、重量の重いトランス等の電源回路や充電回路を本体２１側に設け、灯体１１には設けない構成としたので、持ち歩く灯体１１が軽くなり、取り扱いのし易いペンライト等を提供することができる。
【０１０６】
さらに、灯体１１には、従来、電源回路や充電回路を収納していた分のスペースが空き、そのスペースにさらに二次電池を収納することができ、電池容量の増大による長時間点灯をも実現することが可能となる。
【０１０７】
また、本実施例において、灯体１１は発光部を発光ダイオードで構成し携帯形のペンライトに形成したので、医者や看護婦等が検査用のペンライトとしても手軽に使え、便利な照明器具を提供することができる。
【０１０８】
この場合、通常の検査用ペンライトと同様の操作で使用することができ、かつスポット配光に構成されているので、咽喉等の検査には支障がなく、むしろ一般のペンライトより効果的な検査照明を行うことができる。
【０１０９】
また、灯体１１を取り外す際、灯体は下方が手前側に向くように傾斜して本体２１に支持されているので、壁面Ｃとの間に空間が広く形成されており、手が壁面に当たって外し難くなるようなことがなく、簡単かつ確実に、瞬時に外すことができ、緊急の避難の際には好都合である。
【０１１０】
灯体１１を本体２１に戻す際も、本体の支持凹部２４ａは下方が手前側に向くように傾斜して形成されているので、この傾斜を利用して、灯体を斜めにした状態で各端子間の位置合わせが行え、簡単かつ確実に戻すことができる。
【０１１１】
灯体１１を本体２１から外した状態で、灯体の押しピン１５ｄは本体から抜けるのでスイッチ２５ｅがＯＦＦとなり、本体側の電源回路が自動的に遮断されるので、万一の感電等に対して安全に対処することができる。
【０１１２】
また、押しピン１５があることで、灯体１１の２本の端子ピン１５ｂ、１５ｃを誤って一般の電気コンセントに接続しようとした場合、押しピン１５ｄが３本目のピンとしてストッパーの役目をなして接続されないように機能し、誤操作防止機構を有する安全な照明器具を提供することできる。
【０１１３】
以上、本実施形態において、図１中破線で示すように、本体２１の上面に発光部２７を設けるようにしてもよい。
【０１１４】
この発光部２７の光源は、灯体１１の発光部より輝度の低い、例えば、ＥＬ素子（エレクトロルミネッセンス）で構成するとよい。
【０１１５】
これにより、本体２１の上面がぼんやりと発光するので、本体の設置位置の表示を行うことができ、暗闇で外した灯体１１を本体２１に確実に戻すことができると共に、発光部２７の点灯中は本体上面付近の壁面を、低い輝度で照明することができ、アクセント的な照明効果をもたせることができる。
【０１１６】
同時に、発光部２７は本体２１の中心より上方に設け、かつ灯体側の発光部の輝度より低くすることで、常夜灯として使用しているときに、灯体の発光部の背景輝度を、輝度の低い本体側の発光部２７で向上させることができる。これにより点灯している灯体の発光部の眩しさ感を抑制することもできる。
【０１１７】
また、灯体１１を本体２１に対し傾斜させて支持するための構成は、図７（ａ）に示すように、灯体１１を傾斜させてもよい。
【０１１８】
すなわち、灯体のケース１１ａの外周の一部を、側面視で略三角形状になるように突出させて取付部３０を形成し、本体２１の支持部は傾斜しない垂直な面に構成する。
【０１１９】
これにより、上記と同様に、灯体１１の各端子を本体２１の各端子に接続しながら本体の支持部に支持すれば、壁面に取り付けられた本体に対して、発光部の光が壁面から離間するように灯体１１を傾斜させて着脱可能に支持することができる。
【０１２０】
また、図７（ｂ）に示すように、本体２１の支持部２４と灯体１１の取付部３０の両者を、それぞれ傾斜させた形状に構成してもよい。
【０１２１】
また、図７（ｃ）に示すように、本体２１の支持部を傾斜させずに、受端子を設けた端子台２５の接続面を傾斜させてもよい。さらに図７（ｄ）に示すように、灯体１１の端子ピンを設けた端子台１５ａの接続面を傾斜させてもよい。
【０１２２】
さらには、本体２１の端子台２５と灯体１１の端子台１５ａの両者を、それぞれ傾斜させた形状に構成してもよい。
【０１２３】
照明器具１０は、図６に示すように、各ベッドの頭部近傍に設置し、各ベッドの患者のための足元灯４０として設置してもよい。
【０１２４】
この場合も、灯体１１からの光は足元部分のみを照明し、足元灯として十分な機能を果たすと共に、就寝中の患者が眩しく感じることがない。
【０１２５】
また、照明器具１０は、昼間および夜間に天井照明器具等のメーン照明が点灯中は、灯体のスイッチ１７をＯＦＦにして発光部が点灯しないようにしたが、明るさを検知するセンサーや、タイマー等により自動的にＯＮ・ＯＦＦさせるようにしてもよい。
【０１２６】
灯体１１および本体２１の発光部は、ボリューム等により明るさが調整できるように構成してもよい。
【０１２７】
例えば、灯体１１を本体２１から外したときに自動的に明るさを増大させ、灯体の非常灯としての機能を高めるようにしてもよい。また灯体１１に切換スイッチを設け、看護婦が患者の検査を行う時に、手動で手軽に明るさが調整できるようにしてもよい。
【０１２８】
また、灯体１１を本体２１に取り付けた状態でも、灯体の切換スイッチで常夜灯としての明るさを調整するようにしてもよい。
【０１２９】
灯体１１の発光部１２と反対側の半球状に形成した端部１１ｂに発光部を設けてもよい。
【０１３０】
例えば、本体２１の発光部２７と同様に、灯体の発光部より輝度の低い、例えば、豆電球等の光源を用いて照明することにより、本体２１上面付近の壁面を低い輝度で照明し、アクセント的な照明効果をもたせるようにしてもよい。また、灯体の発光部の背景輝度を向上させ灯体の発光部の眩しさ感を抑制するようにしてもよい。
【０１３１】
灯体１１の光源であるＬＥＤ１２ａを白色ＬＥＤで構成したが、使用態様に応じ、赤色、緑色、青色等で発光するＬＥＤで構成してもよい。若しくはこれらを混合などして複数個に構成してもよい。
【０１３２】
また、上記実施例では、灯体１１のスイッチ１７を設けて夜間のみ灯体が点灯するように切り替えを行うように構成したが、スイッチを入れ忘れた場合には、常夜灯としてもまた非常用の懐中電灯としても、即機能しないことになる。
【０１３３】
このため、灯体を本体から外した場合には必ず灯体が点灯するように構成してもよい。
【０１３４】
すなわち、図８に示すように、本体側にスイッチ１８を設け、灯体側にスイッチ１９を設ける。
【０１３５】
スイッチ１９は灯体１１を本体２１に支持した状態では、本体に設けられた絶縁ピン１９ａによりＯＦＦ状態にされ、灯体を外した際に、絶縁ピンが引き抜かれ接点が接触してＯＮ状態となるように構成する。
【０１３６】
これにより、灯体は本体から外せば、即点灯し非常用の懐中電灯として機能させることができる。
【０１３７】
なお、スイッチ１８をＯＮにすれば、常夜灯としても使用することができ、ＯＦＦにすると非常用の懐中電灯としてのみ使用することができる。
【０１３８】
この方式の場合には、灯体と本体間の配線が３線式になるので、灯体の２本の端子ピン１５ｂ、１５ｃに加えて、押しピン１５ｄを３本目の端子ピンとして使用する。
【０１３９】
同時に本体側の受端子２５ｂ、２５ｃに加え、貫通孔２５ｄに３本目の受端子を設けて構成する。
【０１４０】
上記実施例の照明器具は、医療福祉施設の療養室に設置するために構成したが、一般家庭、オフィス、ホテル等の施設、業務用の照明器具として構成してもよい。
【０１４１】
以上、本発明の好適な実施形態を説明したが、本発明は上述の実施例に限定されることなく、本発明の要旨を逸脱しない範囲内において、種々の設計変更を行うことができる。
【図面の簡単な説明】
【０１４２】
【図１】本発明の第１実施形態の照明器具を、灯体を本体に支持させた状態を示し、（ａ）は一部を断面して示す側面図、（ｂ）は（ａ）図のＡ部を拡大して示す図。
【図２】同じく照明器具を、灯体を本体に支持させた状態で示す正面図。
【図３】同じく本体から外した灯体の一部を断面してを示す側面図。
【図４】同じく照明器具を壁面に取り付けた状態を示す側面図。
【図５】同じく照明器具の電気回路図。
【図６】同じく療養室全体におけるベッドと照明器具の配置関係を示す上方から見た平面図。
【図７】同じく照明器具の変形例を示す図で、（ａ）は灯体を傾斜させた方式の側面図、（ｂ）は本体および灯体を傾斜させた方式の側面図、（ｃ）は本体の端子台を傾斜させた方式の側面図、（ｄ）は灯体の端子台を傾斜させた方式の側面図。
【図８】同じく照明器具の他の変形例を示す電気回路図。
【符号の説明】
【０１４３】
１０  照明器具
１１  灯体
１２  発光部
１３  点灯回路
１４  二次電池
２１  本体
２２  充電回路
２３  取付部
２４  支持部
Ｃ  被設置面                                                                                    
【図１】
2008103176.tif 000003
【図２】
2008103176.tif 000004
【図３】
2008103176.tif 000005
【図４】
2008103176.tif 000006
【図５】
2008103176.tif 000007
【図６】
2008103176.tif 000008
【図７】
2008103176.tif 000009
【図８】
2008103176.tif 000010